(57)【要約】【課題】洗浄効率や乾燥効率を向上し得るドラム式洗濯機およびドラム式乾燥機を提供することを目的とする。【解決手段】水槽１０２と、水槽１０２内に回転自在に支持される回転ドラム１０３と、回転ドラム１０３の背面に配設されるカバー体とを備え、カバー体にメッシュフィルター３を形成し、メッシュフィルター３を回転ドラム１０３の背面側に向かって膨出形成することにより、メッシュフィルターの回転ドラム内面に対する凹凸形状を大きく形成することができ、衣類等に対する攪拌力が向上し、洗浄効率及び乾燥効率を向上することができる。また、メッシュフィルターを回転ドラムの背面側に膨出させることにより、回転ドラムの内容積を増加することができる。【選択図】図３
2018029861.tif 000002
【特許請求の範囲】
【請求項１】
水槽と、前記水槽内に回転自在に支持される回転ドラムと、前記回転ドラムの背面に配設されるカバー体とを備え、前記カバー体にメッシュフィルターを形成し、前記メッシュフィルターを前記回転ドラムの背面側に向かって膨出形成したことを特徴とするドラム式洗濯機。
【請求項２】
前記回転ドラムは、背面に軸受部と外周部を連結する軸連結支持部材を備え、前記カバー体は、前記軸連結支持部材の前記回転ドラム内面側を覆う被覆部を備え、前記カバー体の径方向中央部分を前記回転ドラム内面側に膨出して形成し、前記カバー体の中央部分の外形部分の突出量より、前記膨出部の突出量を大きく形成したことを特徴とする請求項１に記載のドラム式洗濯機。
【請求項３】
水槽と、前記水槽内に回転自在に支持される回転ドラムと、前記水槽内の空気を循環させる循環風路と、前記回転ドラムの背面に配設され、前記循環風路の送風口を覆うカバー体とを備え、前記カバー体にメッシュフィルターを形成し、前記メッシュフィルターを前記回転ドラムの背面側に向かって膨出形成したことを特徴とするドラム式乾燥機。
【請求項４】
前記回転ドラムは、背面に軸受部と外周部を連結する軸連結支持部材を備え、前記カバー体は、前記軸連結支持部材の前記回転ドラム内面側を覆う被覆部を備え、前記カバー体の径方向中央部分を前記回転ドラム内面側に膨出して形成し、前記カバー体の中央部分の外形部分の突出量より、前記膨出部の突出量を大きく形成したことを特徴とする請求項３に記載のドラム式乾燥機。
【請求項５】
前記カバー体は、前記回転ドラムの背面に形成した送風口を覆うように配設され、前記カバー体の膨出部には、略平坦に形成した平坦部を形成し、前記カバー体の少なくとも前記平坦部に前記送風口を通過する空気が透過する透孔を形成したことを特徴とする請求項３又は４に記載のドラム式乾燥機。
【請求項６】
前記カバー体の膨出部には、略平坦に形成した平坦部を形成し、前記平坦部を前記回転ドラムの中央部分に向かうに従って前記回転ドラムの内面側に向かうように形成した請求項５に記載のドラム式乾燥機。
【請求項７】
前記カバー体には、外周部分に前記水槽との間でラビリンス構造を形成し、前記カバー体の前記膨出部の外周側と前記送風口の内周側との距離は、前記ラビリンス構造の内周側と前記送風口の内周側との距離よりも小さく形成したことを特徴とする請求項５に記載のドラム式乾燥機。
【発明の詳細な説明】
【技術分野】
【０００１】
本発明は、ドラム式洗濯機およびドラム式乾燥機に係り、特に水槽内に底部を背部に向けた回転ドラムを備えたドラム式洗濯機およびドラム式乾燥機に関する。
【背景技術】
【０００２】
ドラム式洗濯乾燥機として、図７に全体を模式的に示すように、洗濯機本体１０１内に図示しない緩衝部材により水槽１０２が弾性支持される。水槽１０２内に有底円筒形の回転ドラム１０３が回転自在に支持され、回転ドラム１０３は、正面側から底面となる背面側に向けて回転軸１０５が水平又は下向き傾斜となるように配設される。水槽１０２の背面には、回転軸１０５を駆動して回転ドラム１０３を回転させるモータ１０４が配設されている。
【０００３】
水槽１０２には、水槽１０２内の空気を循環させる循環風路１０９が設けられ、送風ファン１０７により水槽１０２内の空気を排気して除湿した後、加熱し、水槽１０２内に送風口１０８を通じ送風することを繰り返し回転ドラム１０３内の衣類等を乾燥させるよう構成されており、送風口１０８の回転ドラム１０３内側には、衣類等の送風口１０８への侵入を阻止するよう樹脂製のカバー体を装着したものが知られている（例えば、特許文献１参照）。
【０００４】
従来のカバー体には、送風口１０８からの空気の通過を許容するメッシュフィルターが設けられているが、メッシュフィルターは、回転ドラム１０３底部の前面側と同一面をなすように形成し、回転ドラム１０３と共に回転しながら送風口１０８からの送風を分散通過させることで、送風を回転ドラム１０３内の広域にむらなく導入し、乾燥効率を高め、乾燥むらがないようにしている。
【先行技術文献】
【特許文献】
【０００５】
【特許文献１】特開２０１０−１２０９０号公報
【発明の概要】
【発明が解決しようとする課題】
【０００６】
しかしながら、従来の回転ドラムの底部とカバー体は、同一面をなすように形成されているので、凹凸がなく滑らかな形状に形成されており、洗濯物に対する抵抗がなく、洗浄力や洗濯・乾燥中の衣類の攪拌動作に寄与しなかった。また、回転ドラムの底部とカバー体は、フラットであるため、洗濯物が貼りつきやすく、移動しにくいなどの現象も起こり、乾燥の送風を塞ぎやすく、回転ドラム内に送風されないという課題があった。
【０００７】
本発明は、前記従来の課題を解決するもので、洗浄効率や乾燥効率を向上し得るドラム式洗濯機およびドラム式乾燥機を提供することを目的とする。
【課題を解決するための手段】
【０００８】
前記従来の課題を解決するために、本発明におけるドラム式洗濯機およびドラム式乾燥機は、水槽と、前記水槽内に回転自在に支持される回転ドラムと、前記回転ドラムの背面に配設されるカバー体とを備え、前記カバー体にメッシュフィルターを形成し、前記メッシュフィルターを前記回転ドラムの背面側に向かって膨出形成することにより、洗浄効率や乾燥効率を向上することが可能となる。
【発明の効果】
【０００９】
本発明に係るドラム式洗濯機およびドラム式乾燥機は、洗浄効率や乾燥効率を向上することができる。
【図面の簡単な説明】
【００１０】
【図１】本発明の実施の形態１におけるドラム式洗濯乾燥機の回転ドラムの断面斜視図
【図２】同回転ドラムの要部断面斜視図
【図３】同水槽及び回転ドラムの要部断面図
【図４】同水槽及び回転ドラムの他の方向から見た要部断面図
【図５】同カバー体のメッシュフィルターの平面図
【図６】同図５におけるＡ−Ａ断面図
【図７】従来のドラム式洗濯乾燥機の断面図
【発明を実施するための形態】
【００１１】
第１の発明のドラム式洗濯機は、水槽と、前記水槽内に回転自在に支持される回転ドラムと、前記回転ドラムの背面に配設されるカバー体とを備え、前記カバー体にメッシュフィルターを形成し、前記メッシュフィルターを前記回転ドラムの背面側に向かって膨出形成するものである。
【００１２】
これにより、メッシュフィルターの回転ドラム内面に対する凹凸形状を大きく形成することができ、回転ドラムの回転時に、衣類等に対する攪拌力が向上し、衣類等の動きが活性化することにより、洗浄効率を向上することができる。また、メッシュフィルターを回転ドラムの背面側に膨出させることにより、回転ドラムの内容積を増加することが可能となる。
【００１３】
第２の発明は、第１の発明の前記回転ドラムは、背面に軸受部と外周部を連結する軸連結支持部材を備え、前記カバー体は、前記軸連結支持部材の前記回転ドラム内面側を覆う被覆部を備え、前記カバー体の径方向中央部分を前記回転ドラム内面側に膨出して形成し、前記カバー体の中央部分の外形部分の突出量より、前記膨出部の突出量を大きく形成するものである。
【００１４】
これにより、メッシュフィルターの回転ドラム内面に対する凹凸形状を大きく形成することができ、回転ドラムの回転時に、衣類等に対する攪拌力が向上し、衣類等の動きが活性化することにより、洗浄効率を向上することができる。また、メッシュフィルターを回転ドラムの背面側に膨出させることにより、回転ドラムの内容積を増加することが可能となる。
【００１５】
第３の発明のドラム式乾燥機は、水槽と、前記水槽内に回転自在に支持される回転ドラムと、前記水槽内の空気を循環させる循環風路と、前記回転ドラムの背面に配設され、前記循環風路の送風口を覆うカバー体とを備え、前記カバー体にメッシュフィルターを形成し、前記メッシュフィルターを前記回転ドラムの背面側に向かって膨出形成するものである。
【００１６】
これにより、メッシュフィルターの回転ドラム内面に対する凹凸形状を大きく形成することができ、回転ドラムの回転時に、衣類等に対する攪拌力が向上し、衣類等の動きが活性化することにより、乾燥効率を向上することができる。また、メッシュフィルターを回転ドラムの背面側に膨出させることにより、回転ドラムの内容積を増加することが可能となる。
【００１７】
第４の発明は、第３の発明の前記回転ドラムは、背面に軸受部と外周部を連結する軸連結支持部材を備え、前記カバー体は、前記軸連結支持部材の前記回転ドラム内面側を覆う被覆部を備え、前記カバー体の径方向中央部分を前記回転ドラム内面側に膨出して形成し、前記カバー体の中央部分の外形部分の突出量より、前記膨出部の突出量を大きく形成するものである。
【００１８】
これにより、メッシュフィルターの回転ドラム内面に対する凹凸形状を大きく形成することができ、回転ドラムの回転時に、衣類等に対する攪拌力が向上し、衣類等の動きが活性化することにより、乾燥効率を向上することができる。また、メッシュフィルターを回転ドラムの背面側に膨出させることにより、回転ドラムの内容積を増加することが可能となる。
【００１９】
第５の発明は、第３または第４の発明の前記カバー体は、前記回転ドラムの背面に形成した送風口を覆うように配設され、前記カバー体の膨出部には、略平坦に形成した平坦部を形成し、前記カバー体の少なくとも前記平坦部に前記送風口を通過する空気が透過する透孔を形成するものである。
【００２０】
これにより、メッシュフィルターの中央部分において風量を高めることができ、衣類等に効果的に空気を供給して、乾燥効率を向上することが可能となる。
【００２１】
第６の発明は、第５の発明の前記カバー体の膨出部には、略平坦に形成した平坦部を形成し、前記平坦部を前記回転ドラムの中央部分に向かうに従って前記回転ドラムの内面側に向かうように形成するものである。
【００２２】
平坦面を回転ドラムの内面側に向かうように傾斜して形成することにより、透孔を通過する空気が回転ドラム外周方向に拡散するように構成される。これにより、乾燥工程において、回転ドラム内の外周側に集中する衣類等に効率よく送風することが可能となり、乾燥効率を向上することができる。
【００２３】
第７の発明は、第５の発明の前記カバー体には、外周部分に前記水槽との間でラビリンス構造を形成し、前記カバー体の前記膨出部の外周側と前記送風口の内周側との距離は、前記ラビリンス構造の内周側と前記送風口の内周側との距離よりも小さく形成するものである。
【００２４】
これにより、送風口からの風量の損失を低減して、乾燥効率を向上することができる。
【００２５】
以下、図面を参照しつつ、例示的な洗濯機が説明される。尚、以下の説明で用いられる「上」、「下」、「左」や「右」などの方向を表す用語は、単に、説明の明瞭化を目的とする。したがって、これらの用語は、洗濯機の原理を何ら限定するものではない。以下に開示される洗濯機は、衣類を洗濯する洗濯機能だけでなく、衣類を乾燥する乾燥機能を有する。なお、以下の説明は本発明の具体例であって、特許請求の範囲の記載の内容を限定するものではない。
【００２６】
（第１実施形態）
本実施の形態のドラム式洗濯乾燥機は、従来と同様の基本構成を有しており、従来と同一部品は、同一符号を附して説明を省略する。
【００２７】
回転ドラム１０３の背面には、金属製の軸連結支持部材１を有し、軸連結支持部材１の中心部分には、回転軸１０５を連結する軸支部１ａが備えられており、回転軸１０５は水槽１０２に形成された軸受部１１１に回転自在に支持される。軸連結支持部材１は、中心
部分から放射方向に複数延設された延設部１ｂを備えており、延設部１ｂは、軸支部１ａと外周部１ｃを連結しており、延設部１ｂ間に循環風路１０９の送風口１０８が形成されている。
【００２８】
図１〜図４に示すように、軸連結支持部材１は、外周部１ｃから軸支部１ａになるに従って回転ドラム１０３内側へ向かって突出するように形成される。
【００２９】
軸連結支持部材１の表面は、合成樹脂からなる被覆部材２により被覆されており、本実施の形態では、インサート成型により形成されている。被覆部材２は、軸支部１ａを被覆する中央部２ａと、延設部１ｂを被覆する延設被覆部２ｂと、外周部１ｃを被覆する外周被覆部２ｃを備えている。
【００３０】
延設被覆部２ｂの回転ドラム１０３内側には、延設被覆部２ｂを覆う合成樹脂性の覆い部材４が装着される。覆い部材４は、中央部２ａと外周被覆部２ｃを覆うとともに、延設被覆部２ｂの回転ドラム１０３内側を中央部２ａから外周被覆部２ｃに渡って滑らかな曲面となるように覆っている。
【００３１】
本実施の形態では、被覆部材２及び覆い部材４によりカバー体を構成している。
【００３２】
また、被覆部材２には、延設被覆部２ｂの間にメッシュフィルター３を一体に形成しており、メッシュフィルター３により、循環風路１０９への異物の侵入を防止している。
【００３３】
メッシュフィルター３には、メッシュフィルター３の中央部分に回転ドラム１０３背面側に向かって膨出した膨出部３ａが形成される。
メッシュフィルター３の延設被覆部２ｂ側から延設する部分は、急勾配の斜面となって延設被覆部２ｂの側面を覆う第１の傾斜面３ｂを形成している。外周被覆部２ｃから延設する部分は、延設被覆部２ｂから延設する第１の傾斜面３ｂよりも緩やかな傾斜となる第２の傾斜面３ｃを形成している。中央部２ａから延設する部分は、第１の傾斜面３ｂ及び第２の傾斜面３ｃと比較して緩やかな斜面に形成した第３の傾斜面３ｄを形成しており、もっとも緩やかな傾斜に形成している。
【００３４】
メッシュフィルター３の膨出部３ａは、中央部分が最も回転ドラム１０３背面側に向かって膨出しており、中央部分に略平坦状に形成した平坦面３ｅを形成している。メッシュフィルター３は、第１の傾斜面３ｂ、第２の傾斜面３ｃ、第３の傾斜面３ｄ及び平坦面３ｅにそれぞれ透孔５ｂ、５ｃ、５ｄ、５ｅを形成している。第１の傾斜面３ｂ、第２の傾斜面３ｃ、第３の傾斜面３ｄに形成された透孔５ｂ、５ｃ、５ｄの径方向の幅寸法が略同一に形成されている。平坦面３ｅの透孔５ｅは、径方向の幅寸法ａを、第１の傾斜面３ｂ、第２の傾斜面３ｃ、第３の傾斜面３ｄに形成された透孔５ｂ。５ｃ、５ｄの径方向の幅寸法ｂより大きく形成され、開口面積を大きく形成している。本実施の形態では、第２の傾斜面３ｃの平坦面３ｅに近接する位置の透孔５ｃｅは、他の部分の透孔５ｃよりも径方向に幅広に形成し、平坦面３ｅの透孔５ｅと同じ径方向の幅寸法ａに形成し、大きな開口面積を有する形状に形成している。
【００３５】
メッシュフィルター３は、中央部分である平坦面３ｅの透孔５ｅを他の透孔５ｂ、５ｃ、５ｄよりも開口面積を大きく形成しているので、メッシュフィルター３の中央部分において風量を高めることができ、衣類等に効果的に空気を供給して、乾燥効率を向上することが可能となる。
【００３６】
メッシュフィルター３の平坦面３ｅは、中央部２ａに向かうに従って回転ドラム１０３の内面側に向かうように傾斜して形成される。平坦面３ｅの傾斜は、覆い部材４の傾斜と
略平行に形成される。透孔５ｂ、５ｃ、５ｄ、５ｅを区画形成するリブ６は、被覆部材２の基準面を回転軸１０５に対して垂直な面とし、基準面に対して略垂直に形成される。換言すれば、リブ６は、回転軸１０５と略平行に形成される。平坦面３ｅを回転ドラム１０３の内面側に向かうように傾斜して形成することにより、透孔５ｅを通過する空気が回転ドラム１０３外周方向に拡散するように構成される。これにより、乾燥工程において、回転ドラム１０３内の外周側に集中する衣類等に効率よく送風することが可能となり、乾燥効率を向上することができる。メッシュフィルター３の外周側に位置する第２の傾斜面３ｃの透孔５ｃは、開口面積を小さく形成しているので、回転ドラム１０３内の外周側に集中する衣類等の引っ掛かりを抑制することが可能となる。
【００３７】
被覆部材２の外周被覆部２ｃに対する中央部２ａの突出量をＡとし、メッシュフィルター３の平坦面３ｅの覆い部材４に対する回転ドラム１０３背面側への突出量をＢとして、突出量Ｂを突出量Ａより大きく設定している。これにより、メッシュフィルター３の回転ドラム１０３内面に対する凹凸形状を大きく形成することができ、回転ドラム１０３の回転時に、衣類等に対する攪拌力が向上し、衣類等の動きが活性化することにより、洗浄効率及び乾燥効率を向上することができる。また、メッシュフィルター３の膨出部３ａを回転ドラム１０３の背面側に突出させることにより、回転ドラム１０３の内容積を増加することが可能となる。
【００３８】
被覆部材２には、メッシュフィルター３よりも外周側には、水槽１０２側に向かって複数形成された水槽側環状リブ７ａと共にラビリンス構造７を構成する複数の環状リブ７ｂが形成される。メッシュフィルター３は、膨出部３ａと送風口１０８の回転ドラム１０３外周側周縁との間隔を、ラビリンス構造７と送風口１０８の回転ドラム外周側周縁との間隔より狭く形成している。これにより、送風口１０８からの風量の損失を低減して、乾燥効率を向上することができる。
【産業上の利用可能性】
【００３９】
以上のように、本発明にかかるドラム式洗濯機およびドラム式乾燥機は、洗浄効率や乾燥効率を向上することができ、ドラム式洗濯乾燥機にも採用することが可能である。
【符号の説明】
【００４０】
１  軸連結支持部材
１ａ  軸支部
１ｂ  延設部
１ｃ  外周部
２  被覆部材
２ａ  中央部
２ｂ  延設被覆部
２ｃ  外周被覆部
３  メッシュフィルター
３ａ  膨出部
３ｂ  傾斜面
３ｃ  傾斜面
３ｄ  傾斜面
３ｅ  平坦面
４  覆い部材
５ｂ  透孔
５ｃ  透孔
５ｃｅ  透孔
５ｅ  透孔
６  リブ
７  ラビリンス構造
７ａ  水槽側環状リブ
７ｂ  環状リブ
１０２  水槽
１０３  回転ドラム
【図１】
2018029861.tif 000003
【図２】
2018029861.tif 000004
【図３】
2018029861.tif 000005
【図４】
2018029861.tif 000006
【図５】
2018029861.tif 000007
【図６】
2018029861.tif 000008
【図７】
2018029861.tif 000009